(57)【要約】【課題】整流孔からダストを吸い込まないようにして、ダストによる整流孔の摩耗や閉塞を防止することができ、併せて外筒の腐食も防止する。【解決手段】ノズルヘッド２０にて液体と気体とを混合し、この混合された二流体をノズルヘッド２０の先端部に接続される先端ノズル部４０の噴射口４５から噴射させるとともに、噴射口４５の周囲に配される吸込み孔４６から外気を吸い込むことにより噴射される二流体の拡散を抑えるようにする。また、先端ノズル部４０を外筒３により覆うとともに、これら先端ノズル部４０と外筒３との間の空間にバグフィルターにてダスト除去後の排ガスを導入する。【選択図】図１
2011092813.tif 000002
【特許請求の範囲】
【請求項１】
ノズルヘッドにて液体と気体とを混合し、この混合された二流体を前記ノズルヘッドの先端部に接続されるノズル部の噴射口から噴射させるとともに、前記噴射口の周囲に配される整流孔から外気を吸い込むことにより噴射される二流体の拡散を抑えるように構成される二流体噴射ノズルにおいて、
前記ノズル部を外筒により覆うとともに、これらノズル部と外筒との間の空間にダスト除去後の排ガスを導入することを特徴とする二流体噴射ノズル。
【請求項２】
高温の排ガスを排出する排出経路に設けられる減温塔において、排ガスの気流中に冷却用液体を噴射して排ガスを冷却するのに用いられる請求項１に記載の二流体噴射ノズル。
【発明の詳細な説明】
【技術分野】
【０００１】
本発明は、廃棄物焼却炉の減温塔に使用するのに適した二流体噴射ノズルに関するものである。
【背景技術】
【０００２】
従来、ごみ焼却炉、灰溶融炉などの焼却施設において発生する高温の排ガスは、ボイラーによって排熱利用された後、減温塔内に導入される。この減温塔において排ガスは、円筒形状の塔体内部を塔下部から頂部に移動され、この間に水噴射ノズル（二流体噴射ノズル）の噴霧水で冷却され、その後、減温塔より下流側に設けられるバグフィルター等の排ガス処理装置に導入される。
【０００３】
次に、従来の二流体噴射ノズルの構造を図３によって説明する（特許文献１参照）。この二流体噴射ノズル５０は、内部混合型であって、噴霧ノズル５１と、水および空気の供給管５２とアダプター５３とからなる。噴霧ノズル５１には、軸芯に沿う水の流路５４が形成されるとともに、先端側に水の流路５４と連通する複数の噴射口５５が、後方側に複数の空気流路５６が形成されている。水の流路５４は供給管５２の中心側の流路５７に連通し、空気流路５６は供給管５２における外筒５８と内筒５９との間の流路６０に連通している。なお、噴霧ノズル５１には、水の流路５４を流れる気液混合体の流れの邪魔をして気液混合体を微粒化するために邪魔部材６１が配されている。このような構成において、噴霧ノズル５１の流路５４に供給された水は、その流路５４の径方向外方側から連通する複数の空気流路５６から噴射される空気に衝突して激しく混合して微粒化される。また、その微粒化された気液混合体が邪魔部材６１に衝突して更に微粒化されて噴射口５５から高速噴射される。
【０００４】
しかしながら、図３に示される従来の二流体噴射ノズル５０では、ノズル形状が円柱状（オリフィス形状）であり、噴射した二流体は大きく拡がり、その噴射流域の外周部が接する外部のガス（空気）との衝突により失速し、また微粒化した粒子が結合して粒子径が大きくなる傾向がある。そのために、排ガスと噴射した微粒子との接触効果が低下する減温塔内壁面に水滴が付着し、排ガス中に含まれる固形物が吸着され、壁面に堆積成長するという問題点がある。
【０００５】
このような問題点を解消するために、本出願人は、微粒化された二流体の拡散を抑制するとともに、任意の方向に超音速で噴射させることのできる二流体噴射ノズルを特許文献２において提案している（図２参照）。この特許文献２にて提案された二流体噴射ノズルにおいては、ノズル部４０の噴射口４５の周囲に複数個の整流孔４６を配して、これら整流孔４６から外気を吸い込むことにより噴射される二流体の拡散を抑えるようにされている。
【先行技術文献】
【特許文献】
【０００６】
【特許文献１】特開２００３−２２０３５４号公報
【特許文献２】特開２００８−２３４５９号公報
【０００７】
しかしながら、上記特許文献２に記載された二流体噴射ノズルを、ごみ焼却炉の減温塔において使用すると、ノズル部周囲の排ガスを整流孔から吸い込む際に排ガス中のダストも一緒に吸い込むことになり、この吸い込んだダストによって整流孔が摩耗したり、水滴とダストによって整流孔が閉塞するといった問題点が発生する。この結果、噴霧水滴の粒子径が大きくなり、蒸発時間が長くなり、また、噴射流体の直進性が失われ、水滴の減温塔壁面への付着・成長の原因になるという問題点がある。
【０００８】
なお、従来、腐食性ガスを含有する排ガス中でノズルを使用する場合に、ノズルの接ガス部の腐食を防止するために、図４に示されるように、ノズル７０を覆う外筒（保護管）７１を設け、ファンによってノズル７０と外筒７１との間の空間に大気を流すようにしたものがあるが、このようにした場合でも、外筒７１の接ガス部が腐食するという問題点があった。
【発明の概要】
【発明が解決しようとする課題】
【０００９】
本発明は、前述のような問題点に鑑みてなされたもので、整流孔を有するノズルにおいて、整流孔からダストを吸い込まないようにして、ダストによる整流孔の摩耗や閉塞を防止することができ、併せて外筒の腐食も防止することのできる二流体噴射ノズルを提供することを目的とするものである。
【課題を解決するための手段】
【００１０】
前記目的を達成するために、本発明による二流体噴射ノズルは、
ノズルヘッドにて液体と気体とを混合し、この混合された二流体を前記ノズルヘッドの先端部に接続されるノズル部の噴射口から噴射させるとともに、前記噴射口の周囲に配される整流孔から外気を吸い込むことにより噴射される二流体の拡散を抑えるように構成される二流体噴射ノズルにおいて、
前記ノズル部を外筒により覆うとともに、これらノズル部と外筒との間の空間にダスト除去後の排ガスを導入することを特徴とするものである。
【００１１】
本発明による二流体噴射ノズルは、高温の排ガスを排出する排出経路に設けられる減温塔において、排ガスの気流中に冷却用液体を噴射して排ガスを冷却するのに用いられるのが好ましい。
【発明の効果】
【００１２】
本発明によれば、次のような効果を奏する。
１）ノズル部と外筒との間の空間にダスト除去後の排ガスが導入されるので、噴射口の周囲に配される整流孔から外気を吸い込む際にダストが吸い込まれることがない。したがって、ダストによる整流孔が摩耗したり、閉塞したりするのを防止することができる。
２）整流孔から吸い込まれる外気によって冷却用液体の微粒化が維持されるので、この二流体噴射ノズルが設置される機器（減温塔）の小型化を促進することができる。また、微粒化された冷却用液体の拡散を抑えて直進性を維持することができるので、水滴の壁面付着に伴うダストの付着・成長を抑制することができる。
３）腐食性ガス雰囲気で使用しても、ノズル部が直接ガスと接触することはないので、ノズル部の腐食を防止することができる。
４）バグフィルター出口におけるダスト除去後の１４０℃以上の排ガスを用いることで、外筒の温度を１４０〜４００℃に抑えることができ、外筒の腐食を防止することができる。
５）ダスト除去後の排ガスが用いられているので、煙突からの排ガス量の増加を抑制することができる。
【図面の簡単な説明】
【００１３】
【図１】本発明の一実施形態に係る二流体噴射ノズルの部分断面正面図（ａ）と部分断面側面図（ｂ）
【図２】二流体噴射ノズルの要部拡大断面図
【図３】従来の二流体噴射ノズルの断面図
【図４】外筒で覆われた従来のノズルの部分断面側面図
【発明を実施するための形態】
【００１４】
次に、本発明による二流体噴射ノズルの具体的な実施の形態について、図面を参照しつつ説明する。
【００１５】
図１には、本発明の一実施形態に係る二流体噴射ノズルの部分断面正面図（ａ）と部分断面側面図（ｂ）が示され、図２には、同二流体噴射ノズルの要部拡大断面図が示されている。
【００１６】
本実施形態の二流体噴射ノズル１は、噴射ノズル本体２と、この噴射ノズル本体２の全体を覆うように配される外筒３とにより構成されている。噴射ノズル本体２は、同軸心で組み合わされた外管４ａと内管４ｂとよりなる二重管構造の流体供給管４の先端部に取付けられるブロック形状のノズルヘッド２０と、このノズルヘッド２０の先端部にそのノズルヘッド２０と軸線を交差（図の例では直交）させて接続される先端ノズル部（本発明の「ノズル部」に相当）４０とを備えて構成されている。ノズルヘッド２０の内部には、長軸方向に第１ラバルノズル部２５と、その第１ラバルノズル部２５に連通するチャンバー３０とが形成され、このチャンバー３０に基端部が開口するように、ノズルヘッド２０に対して別部材よりなる前記先端ノズル部４０が取付けられている。
【００１７】
前記流体供給管４には、内管４ｂの軸心に流量制御のためのニードル弁棒１１が貫通挿入されている。また、内管４ｂの先端部は、第１ラバルノズル部２５の吸込み部２６と所要の間隔を保って対向位置させるため、外形が截頭円錐形にされている。また、この内管４ｂの先端中心部に設けられた水噴出口１５の内側には弁座１２が設けられ、前記ニードル弁棒１１先端の弁体１３により弁開度の調節ならびに弁の開閉ができるようにされている。一方、外管４ａは、後端部に螺合される接続金具によって前記内管４ｂと同心に保持されている。そして、外管４ａ内周面と内管４ｂ外周面との空間には、図示されない気体導入接続管から圧縮空気（または蒸気）が供給される。
【００１８】
一方、ノズルヘッド２０には、一端部に前記流体供給管４の外管４ａ先端部が接続部２１において螺合定着され、この流体供給管４の軸心線の延長上に、前記第１ラバルノズル部２５とチャンバー３０とが形成されている。また、前記外管４ａの接続部２１に対し、内管４ｂは所要寸法前方へ突き出すように配され、この内管４ｂの先端部周囲に気体流動空間部２２が形成されている。
【００１９】
前記第１ラバルノズル部２５は、前記気体流動空間部２２に連接して軸心に向かって絞縮するラッパ形状の吸込み部２６から狭窄部分（スロート部２７）を経てディフューザ２８に通じる構造にされており、前記吸込み部２６に対峙する前記内管４ｂの先端の水噴出口１５が前記スロート部２７に対向する位置関係となるように関係付けられている。また前記ディフューザ２８の出口は、前方位置に設けられた所要容積のチャンバー３０に接続されている。
【００２０】
前記チャンバー３０は、全体として円柱状にされるとともに、軸線方向の両端面３１，３１′が球面状に形成されている。特に、前記第１ラバルノズル部２５との接続部と反対位置となる端面３１は、ノズルヘッド２０の後端側に分離される蓋体２９の一部とされ、この蓋体２９はガスケット３３を介在させて四本のボルト３４によって取り外し可能に締結されている。このような構造とすることにより、チャンバー３０の内面および第１ラバルノズル部２５の要部を精密加工するのが容易となる。また、蓋体２９を取り外すことによりメンテナンスも容易になる。
【００２１】
前記先端ノズル部４０は、外部からノズルヘッド２０の軸線に直交する向きに基端の雄ねじ部４０ａをノズルヘッド２０に設けられた取付雌ねじ孔２３に螺合締着されることにより、ノズルヘッド２０に取付けられている。この先端ノズル部４０には、前記チャンバー３０と接続されるように第２ラバルノズル部４１が形成されている。この第２ラバルノズル部４１は、先端ノズル部４０の軸心に基端側からラッパ状に絞縮形成された吸込み部４２、スロート部４３、ディフューザ４４および拡大径にされた噴射口４５が一軸上に形成された構成となっている。そして、前記噴射口４５の周囲には軸線方向に長孔に形成された吸込み孔（整流孔）４６が複数等分して配設されている。
【００２２】
このように構成された二流体噴射ノズル１においては、流体供給管４および外筒３が減温塔の外部から塔内部に挿入されて壁体に固定され、流体供給管４の外管４ａに圧縮空気供給配管が、内管４ｂに水供給配管が、それぞれ接続されて各流体が供給される。なお、圧縮空気の供給量は、内管４ｂを進退させて第１ラバルノズル部２５の吸込み部２６の周面と内管４ｂ先端との間隔を調整することで設定される。また、水量の調整はニードル弁棒１１を回動操作して内管４ｂ先端部における弁座１２と弁体１３とによる弁開度の調整により行われる。
【００２３】
本実施形態においては、減温塔の下流側に配されるバグフィルター出口のダスト除去後の１４０℃以上の排ガスが、図１の矢印Ｐにて示されるように、外筒３と流体供給管４との間の空間に導入される。
【００２４】
流体供給管４により圧縮空気および圧力水が供給されると、内管４ｂ内を通して送入される圧力水は先端の水噴出口１５から第１ラバルノズル部２５に向かって噴出され、外管４ａを通して送入される圧縮空気は気体流動空間部２２から吸込み部２６に向かって流動する。噴出された圧力水と圧縮空気とは、この吸込み部２６において激しく混合され、その前方位置の最も狭い流路であるスロート部２７にて圧縮されて高速度に加速され、ディフューザ２８を通過してチャンバー３０に送り出される。
【００２５】
こうして第１ラバルノズル部２５で気液混合された二流体は、チャンバー３０内で一旦圧力開放されるが、そのまま放出されることはなく後続する圧力流体により閉鎖状態にあるチャンバー３０と接続された第２ラバルノズル部４１の吸込み部４２からスロート部４３を通じて再び加圧されて音速以上の速度に加速され、ディフューザ４４から出口部４４′を介して繋がる噴射口４５で音速になって噴射される。この出口部４４′では通過する二流体の混合気の噴射力により、噴射口４５の周囲に設けられた複数の吸込み孔４６から周囲の空気が図１の矢印Ｑにて示されるように吸引され、噴射する混合気の周囲を吸引した空気流が取巻いた状態で噴射される。その結果、この第２ラバルノズル部４１を備える先端ノズル部４０の先端から噴射される混合気はノズル先端出口４５′での拡散を抑えられて直進性の高い噴射が行われることになる。
【００２６】
本実施形態の二流体噴射ノズル１によれば、先端ノズル部４０と外筒３との間の空間にダスト除去後の排ガスが導入されるので、噴射口４５の周囲に配される吸込み孔（整流孔）４６から外気を吸い込む際にダストが吸い込まれることがない。したがって、ダストによって吸込み孔４６が摩耗したり、閉塞したりするのを防止することができる。また、バグフィルター出口におけるダスト除去後の１４０℃以上の排ガスが用いられているので、外筒３の温度を１４０〜４００℃に抑えることができ、外筒３の腐食を防止することができる。
【００２７】
また、本実施形態では、二段のラバルノズル部２５，４１を途中にチャンバー３０を介在させて噴射方向を変換させることにより、減温塔内に配置して冷却水を排ガスに対して並流噴射させることができ、噴射する水の噴霧状態が直進性を有することから噴射によってその周囲の気流を伴走させて流動性を与えることができ、微粒化した粒子もその流動に際しての粒度差の少ない状態を維持させて、冷却効果を高めることができる。さらに、吸込み孔４６から吸い込まれる外気によって冷却水の微粒化が維持されるので、この二流体噴射ノズル１が設置される機器である減温塔の小型化を促進することができる。また、微粒化された冷却水の拡散を抑えて直進性を維持することができるので、水滴の壁面付着に伴うダストの付着・成長を抑制することができる。さらに、腐食性ガス雰囲気で使用した場合でも、先端ノズル部４０が直接ガスと接触することはないので、この先端ノズル部４０の腐食を防止することができる。また、ダスト除去後の排ガスが用いられているので、煙突からの排ガス量の増加を抑制することができるという効果もある。
【００２８】
本実施形態の二流体噴射ノズル１では、先端ノズル部４０を第１ラバルノズル部２５の軸線に対し直交するように装着したものについて説明したが、チャンバー３０を球形状に加工し、先端ノズル部４０を任意の角度に設けるようにすることもできる。こうすることで、噴射方向を任意角度に設定することができるだけでなく、メンテナンスを容易にすることができるという効果がある。
【産業上の利用可能性】
【００２９】
本発明の二流体噴射ノズルは、整流孔を有するノズルを使用する各種燃焼炉の減温塔に適用できるだけでなく、整流孔を有するノズルを使用するバーナーに適用して好適である。
【符号の説明】
【００３０】
１        二流体噴射ノズル
２        噴射ノズル本体
３        外筒
４        流体供給管
１５      水噴出口
２０      ノズルヘッド
２５      第１ラバルノズル部
３０      チャンバー
４０      先端ノズル部（ノズル部）
４１      第２ラバルノズル部
４５      噴射口
４６      吸込み孔（整流孔）
【図１】
2011092813.tif 000003
【図２】
2011092813.tif 000004
【図３】
2011092813.tif 000005
【図４】
2011092813.tif 000006